【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
ナノバクテリアで汚染された物品を消毒する方法であって、
（ａ）ナノバクテリアを消毒薬混合物に曝露するステップであって、前記消毒薬混合物が、
（ａ１）蒸留水中の、５０％過硫酸カリウムと、５％スルファミン酸との１％混合物、もしくは
（ａ２）４．５％ホルムアルデヒドと、６．８％グリオキサールと、１．５％グリオキシル酸と、６％ジメチルラウリルベンジルアンモニウムクロリドとの３％混合物
であるステップ、または
（ｂ）ナノバクテリアから鉱質除去し、その後、前記物品を消毒薬化学物質に曝露するステップ、または
（ｃ）ナノバクテリアから鉱質除去し、その後、前記物品を、少なくとも１２１℃の温度で少なくとも２０分間加圧滅菌するステップ、または
（ｄ）ナノバクテリアから鉱質除去し、その後、前記物品を、少なくとも１５ＷのＵＶ−Ｃランプに、６０ｃｍ以下の距離で、少なくとも１時間曝露するステップ、または
（ｅ）ナノバクテリアから鉱質除去し、その後、前記物品を少なくとも１５分間、少なくとも６０℃の温度で加熱するステップ、または
を含む、方法。
【請求項２】
鉱質除去が、前記物品を低ｐＨ混合物に曝露することにより達成される、請求項１（ｂ），（ｃ），（ｄ）または（ｅ）に記載の方法。
【請求項３】
前記低ｐＨ混合物が強酸である、請求項２に記載の方法。
【請求項４】
前記強酸が塩酸である、請求項８に記載の方法。
【請求項５】
鉱質除去が、前記物品を有効量のカルシウムキレート剤、またはカルシウムに結合もしくはキレートする低分子量有機酸に曝露することにより達成され、前記酸が、クエン酸と、酢酸と、乳酸と、アスコルビン酸と、サリチル酸と、これらのアセチル誘導体およびアミノアセチル誘導体とからなる群から選択される、請求項１（ｂ），（ｃ），（ｄ）または（ｅ）に記載の方法。
【請求項６】
前記カルシウムキレート剤がＥＤＴＡである、請求項５に記載の方法。
【請求項７】
前記消毒薬化学物質が、エタノールと、グルタルアルデヒドと、ホルムアルデヒドと、次亜塩素酸塩と、過酸化水素と、塩酸と、水酸化ナトリウムと、ＳＤＳと、Ｔｗｅｅｎ８０と、トリトンＸ−１００と、グアニジウム塩酸塩と、尿素と、Ｖｉｒｋｏｎ（商標）と、Ｅｒｉｆｅｎｏｌ（商標）と、Ｋｌｏｒｉｌｌｉ（商標）と、Ｂｕｒａｔｏｎ（商標）と、これらの混合物とからなる群から選択される、請求項１（ｂ）に記載の方法。
【請求項８】
前記消毒薬化学物質が、
エタノール（少なくとも７０％の溶液）と、
グルタルアルデヒド（少なくとも２％の溶液）と、
ホルムアルデヒド（少なくとも４％の溶液）と、
次亜塩素酸塩（少なくとも０．５％の溶液）と、
過酸化水素（少なくとも３％の溶液）と、
塩酸（少なくとも１Ｍの溶液）と、
水酸化ナトリウム（少なくとも１Ｍの溶液）と、
ドデシル硫酸ナトリウム（少なくとも１％の溶液）と、
Ｔｗｅｅｎ８０（少なくとも１％の溶液）と、
トリトンＸ−１００（少なくとも１％の溶液）と、
グアニジウム塩酸塩（少なくとも３Ｍの溶液）と、
尿素（少なくとも３Ｍの溶液）と、
Ｖｉｒｋｏｎ（商標）（少なくとも１％の溶液）と、
Ｅｒｉｆｅｎｏｌ（商標）（少なくとも１．５％の溶液）と、
Ｋｌｏｒｉｌｌｉ（商標）（少なくとも１％の溶液）と、
Ｂｕｒａｔｏｎ（商標）（少なくとも３％の溶液）と、
これらの混合物と
からなる群から選択される、請求項７に記載の方法。
【請求項９】
前記物品を少なくとも１２１℃の温度で、少なくとも２０分間加圧滅菌するステップをさらに含む、請求項１（ｂ）に記載の方法。
【請求項１０】
前記物品を、少なくとも１５ＷのＵＶ−Ｃランプに、６０ｃｍ以下の距離で、少なくとも１時間曝露することで、前記物品を紫外線に暴露するステップをさらに含む、請求項１（ｂ）に記載の方法。
【請求項１１】
前記加熱が、少なくとも１００℃の温度で少なくとも３０分間行われる、請求項１（ｅ）に記載の方法。
【請求項１２】
ナノバクテリアによりインビボで引き起こされる石灰化の発達を、これの予防または治療が必要な患者において予防または治療するための抗ナノバクテリア組成物を調製するための、β−ラクタム系抗生物質と、テトラサイクリン系抗生物質と、医薬的に許容されるこれらの塩と、これらの混合物とからなる群から選択される抗生物質の、ナノバクテリアの増殖の阻害または予防に充分な量での使用。
【請求項１３】
前記β−ラクタム系抗生物質が、ペニシリンと、フェネチシリンと、アンピシリンと、アズロシリンと、バカンピシリンと、カルベニシリンと、シクラシリンと、メズロシリンと、ピペラシリンと、エピシリンと、ヘタシリンと、クロキサシリンと、ジクロキサシリンと、メチシリンと、ナフシリンと、オキサシリンと、医薬的に許容されるこれらの塩とからなる群から選択される、請求項１２に記載の使用。
【請求項１４】
前記テトラサイクリン系抗生物質が、テトラサイクリンと、クロルテトラサイクリンと、デメクロサイクリンと、ドキシサイクリンと、メタサイクリンと、オキシテトラサイクリンと、ロリテトラサイクリンと、ミノサイクリンと、サンシクリンと、医薬的に許容されるこれらの塩とからなる群から選択される、請求項１２に記載の使用。
【請求項１５】
ナノバクテリアによりインビボで引き起こされる石灰化の発達を、これの予防または治療が必要な患者において予防または治療するための抗ナノバクテリア組成物を調製するための、β−ラクタム系抗生物質と、アミノグリコシド系抗生物質と、テトラサイクリン系抗生物質と、医薬的に許容されるこれらの塩と、これらの混合物とからなる群から選択される抗生物質の、ナノバクテリアの増殖の阻害または予防に充分な量での使用であって、前記抗生物質がクエン酸塩化合物と同時投与される、使用。
【請求項１６】
ナノバクテリアによりインビボで引き起こされる石灰化の発達を、これの予防または治療が必要な患者において予防または治療するための医薬組成物を調製するための、ビスホスホネートの、ナノバクテリアの増殖の阻害または予防に充分な量での使用。
【請求項１７】
前記ビスホスホネートが、アレンドロン酸と、エチドロン酸と、クロドロン酸と、オキシドロン酸と、医薬的に許容されるこれらの塩とからなる群から選択される、請求項１６に記載の使用。
【請求項１８】
前記ビスホスホネートが、約５〜２０ｍｇ／ｋｇ／日の用量で投与される、請求項１６に記載の使用。
【請求項１９】
前記ビスホスホネートが、抗生物質と同時に投与される、請求項１６に記載の使用。
【請求項２０】
前記抗生物質が、テトラサイクリンと、クロルテトラサイクリンと、デメクロサイクリンと、ドキシサイクリンと、メタサイクリンと、オキシテトラサイクリンと、ロリテトラサイクリンと、ミノサイクリンと、サンシクリンと、医薬的に許容されるこれらの塩とからなる群から選択されるテトラサイクリン系抗生物質である、請求項１９に記載の使用。
【請求項２１】
ナノバクテリアにより引き起こされる腎結石を、腎結石に以前に罹患したことのある患者において予防するための医薬組成物を調製するための、請求項１２に記載の抗生物質の、ナノバクテリアの増殖の阻害または予防に充分な量での使用。
【請求項２２】
液体物質からナノバクテリアを根絶させる方法であって、前記液体を超音波処理するステップを含む方法。
【請求項２３】
前記液体が、超音波処理中に冷却される請求項２２に記載の方法。
【請求項２４】
前記液体が、少なくとも約５分間超音波処理される請求項２２に記載の方法。